(57)【特許請求の範囲】
【請求項１】
放射線治療の際に患者を搭置し、前記患者を放射線照射位置に設定する放射線治療寝台に用いる放射線治療寝台用天板であって、
前記放射線治療寝台に設置された固定板と、前記固定板に着脱可能に結合された分離板とを備え、
前記分離板は、
前記固定板に表裏変更可能に結合する固定板接続部と、前記固定板接続部から該分離板の長手方向に延伸した棒状アームとを有する分離板フレームと、
前記分離板フレームに着脱可能に接続される分割側板を複数有し、
前記棒状アームは、該棒状アームの長手方向における中心線から前記分離板の左右の端部までの距離のそれぞれが異なるように、前記分離板の長手方向における中心線から該分離板の短手方向に離れた位置に配置されたことを特徴とする放射線治療寝台用天板。
【請求項２】
前記固定板は、前記分離板の前記固定板接続部に接続する係合柱を有し、
前記分離板は、前記固定板接続部に、前記係合柱に係合する係合穴を有し、
前記係合柱は、その中心軸が前記固定板を上から見た際の該固定板の長手方向における中心線に略一致する位置するように配置されたことを特徴とする請求項１記載の放射線治療寝台用天板。
【請求項３】
前記棒状アームは、前記分離板の表面側に位置する表面及び前記分離板の裏面側に位置する裏面に、それぞれ該分離板の長手方向に延伸して形成された係合溝を有し、
前記表面に形成された係合溝及び前記裏面に形成された係合溝は、前記分離板に平行な平面に投影した際の位置がそれぞれ略一致するように配置され、
前記分割側板は、前記棒状アームに接続する接続部を有し、
前記接続部に、前記係合溝に係合する係合突部が設けられたことを特徴とする請求項１または２に記載の放射線治療寝台用天板。
【請求項４】
前記棒状アームは、前記表面及び前記裏面のそれぞれに、平行した２本の前記係合溝を有することを特徴とする請求項３記載の放射線治療寝台用天板。
【請求項５】
前記分割側板の少なくとも１つは、開口部を形成した分割側板フレームと、前記開口部を覆ったシートと、前記開口部に着脱可能に設置されるプレートを有することを特徴とする請求項１乃至４のいずれか１項に記載の放射線治療寝台用天板。
【請求項６】
前記プレートは、Ｘ線を減衰させるＸ線減衰部を有することを特徴とする請求項５記載の放射線治療寝台用天板。
【請求項７】
前記シートは、前記開口部における前記分割側板の前記棒状アームに接続する側の部分を覆ったことを特徴とする請求項５または６に記載の放射線治療寝台用天板。
【請求項８】
前記シートは、その材質がアルミニウムよりも放射線吸収率の低い材質であることを特徴とする請求項５乃至７のいずれか１項に記載の放射線治療寝台用天板。
【請求項９】
放射線治療の際に患者を搭置し、前記患者を放射線照射位置に設定する放射線治療寝台であって、
前記患者を搭置する放射線治療寝台用天板と、
前記放射線治療寝台用天板の位置を移動させる駆動装置とを備え、
前記放射線治療寝台用天板は、請求項１乃至８のいずれか１項に記載の放射線治療寝台用天板である放射線治療寝台。
【発明の詳細な説明】
【技術分野】
【０００１】
本発明は、がん治療で使用される放射線治療装置において、患者を放射線照射位置に設定し、固定する為に用いられる放射線治療寝台の天板に関するものである。
【背景技術】
【０００２】
放射線治療寝台は、放射線治療の際に患者を放射線照射位置に設定し、固定する為に用いられる。放射線治療寝台の天板およびその支持機構を構成する材料として、放射線吸収率の低い材料を用いることが好ましく、特に放射線が照射され、放射線照射位置に至る間に存在する構造物の材料にはアルミニウム等の放射線吸収率の高い金属を用いないようにしている。
【０００３】
一般的に、放射線治療寝台は、サイドフレーム方式及びセンタースパイン方式に２つのタイプがある。サイドフレーム方式は、アルミニウム等の放射線吸収率の高い金属からなるフレームを、放射線治療寝台用天板の短手方向の中央に配置せず、放射線治療寝台用天板の短手方向の両側に配置したものである。センタースパイン方式は、アルミニウム等の放射線吸収率の高い金属からなるフレームを、放射線治療寝台用天板の短手方向の両側に配置せず、放射線治療寝台用天板の短手方向の中央に配置したものである。放射線の照射位置に応じて、放射線治療寝台用天板のタイプを選択して使用していた。
【０００４】
特許文献１には、サイドフレーム方式とセンタースパイン方式との間を相互に変更できる放射線治療装置の治療台が開示されている。この治療台は、天板部がその長さ方向に平行に配列された２本の棒状アームと、棒状アームの両端部に配設され、２本の棒状アームを支持し、天板部の幅方向にそって棒状アームを個々に平行移動させるアーム移動手段を具備しており、アーム移動手段によって２本の棒状アームの位置を変えることにより天板開口部の幅と位置を変えることができるように構成されていた。天板部のアーム移動手段は、棒状アームの両端に設けられたラック・ピニオン機構で構成されていた。
【先行技術文献】
【特許文献】
【０００５】
【特許文献１】特開２０００−３５４６３８号公報（００３２段乃至００３４段、図８、図９）
【発明の概要】
【発明が解決しようとする課題】
【０００６】
特許文献１に記載の放射線治療装置の治療台は、２本の棒状アームが移動することで、センタースパイン方式とサイドフレーム方式を使い分けることが可能に構成されてはいるが、天板部の構造が非常に複雑となり、移動可能な棒状アームと治療台の固定側との連結部分にがたつきが生じて、患者の体位、治療台の動作角度などによっては棒状アームの位置ずれが生じ、放射線照射部のずれが生じるおそれがあった。
【０００７】
本発明は上記のような課題を解決するためになされたものであり、サイドフレーム方式とセンタースパイン方式との間を相互に変更する可動部を無くした簡略な構造で、この可動部の位置ずれを抑制した放射線治療寝台用天板を得ることを目的とする。
【課題を解決するための手段】
【０００８】
放射線治療寝台に設置された固定板と、固定板に着脱可能に結合された分離板とを備える。分離板は、固定板に表裏変更可能に結合する固定板接続部と、固定板接続部から該分離板の長手方向に延伸した棒状アームとを有する分離板フレームと、分離板フレームに着脱可能に接続される分割側板を複数有し、棒状アームは、該棒状アームの長手方向における中心線から分離板の左右の端部までの距離のそれぞれが異なるように、該分離板の長手方向における中心線から該分離板の短手方向に離れた位置に配置された。
【発明の効果】
【０００９】
本発明に係る放射線治療寝台用天板は、放射線治療寝台に設置された固定板と、固定板に着脱可能に結合された分離板とを備え、分離板の棒状アームが該棒状アームの長手方向における中心線から分離板の左右の端部までの距離のそれぞれが異なるように、該分離板の長手方向に沿った中心線から該分離板の短手方向に離れた位置に配置されたので、分離板フレームを表裏変更して棒状アームの位置を変更でき、サイドフレーム方式とセンタースパイン方式との間を相互に変更する可動部を無くした簡略な構造で、この可動部の位置ずれを抑制することができる。
【図面の簡単な説明】
【００１０】
【図１】本発明の実施の形態１による放射線治療寝台を示す図である。
【図２】図１の分割式天板の分割構造を示す図である。
【図３】図２のＡ−Ａ断面図である。
【図４】図２の分割側板を示す図である。
【図５】図２の分割側板を示す図である。
【図６】本発明の放射線治療寝台を用いた照射を説明する図である。
【図７】本発明の実施の形態２による放射線治療寝台を示す図である。
【図８】図７の分割式天板の分割構造を示す図である。
【図９】本発明の実施の形態３によるプレートを示す図である。
【発明を実施するための形態】
【００１１】
実施の形態１．
図１は本発明の実施の形態１による放射線治療寝台を示す図である。図１（ａ）は放射線治療寝台２０を上から見た図であり、図１（ｂ）は放射線治療寝台２０を横から見た図である。図２は、分割式天板の分割構造を示す図である。放射線治療寝台２０は、患者１２を搭置し固定する分割式天板１５（以後、単に天板と呼ぶ。）と、天板１５をＸ軸方向、Ｙ軸方向、Ｚ軸方向の各軸方向に並進させ、Ｘ軸周りのθ方向、Ｙ軸周りのφ方向、Ｚ軸周りのξ方向の各方向に回転させる駆動装置１１とを有する。駆動装置１１は天板１５の位置を移動させる。天板１５は、駆動装置１１に固定される固定板６と固定板６から分離される分離板９を有する。分離板９は、固定板６に表裏変更可能に結合する。分離板９は、分離板フレーム５と、分離板フレーム５に着脱可能な複数の分割板を有する。図１及び図２では、複数の分割板として、分割端板１、分割側板２、分割側板３、分割側板４の４つを有る場合を示している。分離板フレーム５は、棒状アーム５１、固定板接続部５２、分割端板接続部５３から構成される。固定板接続部５２には固定板６の結合溝１８に結合する結合突部１９が設けられ、分離板９は、結合突部１９を結合溝１８に結合し、ボルトやナットなどの固定部品で固定板６に固定される。ここで、分離板フレーム５、分割端板１、分割側板２、分割側板３、分割側板４はそれぞれ２０ｋｇ以下である。
【００１２】
図３は、図２のＡ−Ａ断面図である。分離板９の分離板フレーム５は、固定板接続部５２から分離板９の長手方向に延伸し、天板１５の長手方向における中心線１３及びこの中心線１３を通り天板１５の垂直方向における中心線１４から天板１５の短手方向である左右方向にオフセットして配置している。すなわち、分離板フレーム５は、中心線１３から短手方向に離れた位置に配置される。分離板フレーム５の棒状アーム５１は、天板１５の垂直方向における両側に、４つの係合溝７が設けられている。係合溝７は、分離板９の表面側に位置する表面５１ａ及び分離板９の裏面側に位置する裏面５１ｄに、それぞれ分離板９の長手方向に延伸して形成される。
【００１３】
係合溝７は、後述する分割側板２の係合突部２１、分割側板３の係合突部３１、分割側板４の係合突部４１と係合する。表面５１ａに形成された係合溝７及び裏面５１ｄに形成された係合溝７は、分離板９に平行な平面に投影した際の位置がそれぞれ一致するように配置される。分割側板２、３、４は、それぞれの接続部２３、３３、３４と棒状アーム５１の角部の両面に当接して接続される（図４、図５参照）。図３において、棒状アーム５１の角部の両面とは、表面と側面である。
【００１４】
図４は分割側板２を示す図であり、図５は分割側板３を示す図である。分割側板２は、プレート２ａと、シート２ｂと、分割側板フレーム２ｃを有する。分割側板２はプレート２ａが分離可能になっている。分割側板フレーム２ｃは、開口部２ｄを形成するＵ字形の形状を有しており、この開口部２ｄの周辺にプレート２ａを支持するプレート支持部２２が設けられる。また、分割側板フレーム２ｃは、プレート２ａが挿入される側に、分離板フレーム５の棒状アーム５１に接続する接続部２３を有し、この接続部２３には分離板フレーム５の棒状アーム５１に係合する係合突部２１が設けられる。シート２ｂは開口部２ｄを覆っている。
【００１５】
分割側板３も分割側板２と同様の構造になっている。分割側板３は、プレート３ａと、シート３ｂと、分割側板フレーム３ｃを有する。分割側板３はプレート３ａが分離可能になっている。分割側板フレーム３ｃは、開口部３ｄを形成するＵ字形の形状を有しており、この開口部３ｄの周辺にプレート３ａを支持するプレート支持部３２が設けられる。また、分割側板フレーム３ｃは、プレート３ａが挿入される側に、分離板フレーム５の棒状アーム５１に接続する接続部３３を有し、この接続部３３には分離板フレーム５の棒状アーム５１に係合する係合突部３１が設けられる。シート３ｂは開口部３ｄを覆っている。
【００１６】
分割側板４は、一体となる分離板９の内側に位置する側に、分離板フレーム５の棒状アーム５１に接続する接続部４３を有し、この接続部４３には分離板フレーム５の棒状アーム５１に係合する係合突部４１が設けられる。
【００１７】
分割端板１は、内側に開口部１ｄが形成された分割端板フレーム１ｃと、シート１ｂを有する。分割端板１の開口部１ｄは、患者１２の頭部が配置された場合に、粒子線を分割端板１の下方から照射する際に分割端板フレーム１ｃが粒子線を遮らないような大きさにしている。シート１ｂは開口部１ｄを覆っている。分割端板１は、分離板フレーム５の分割端板接続部５３に設けられた位置決突部１７に係合する係合穴を有する。分割端板１は、分割端板接続部５３の位置決突部１７を係合穴に係合され、分割端板接続部５３にボルトやナットなどの固定部品で固定される。
【００１８】
分離板９のフレーム等は、従来と同様にアルミニウム等の金属を用いる。アルミニウム等の金属は、放射線吸収率は高くなるが、軽量であり、加工性も高く、従来から放射線治療装置用寝台のフレームに用いられてきた。実施の形態１の分離板９においては、分割端板フレーム１ｃ、分割側板フレーム２ｃ、分割側板フレーム３ｃ、分割側板４、分離板フレーム５に、アルミニウム等の金属を用いている。
【００１９】
図３を用いて、分割側板２、３、４と分離板フレーム５の棒状アーム５１との接続部分を詳しく説明する。分割側板２は、係合突部２１が棒状アーム５１の係合溝７（図３において左上側）に係合し、接続部２３が棒状アーム５１の表面５１ａと左側面５１ｂに当接して、がたつきがないように着脱可能に接続される。分割側板４は、係合突部４１が棒状アーム５１の係合溝７（図３において右上側）に係合し、接続部４３が棒状アーム５１の表面５１ａと右側面５１ｃに当接して、がたつきがないように着脱可能に接続される。分割側板３は、分割側板２と同様に、係合突部３１が棒状アーム５１の係合溝７（図３において左上側）に係合し、接続部３３が棒状アーム５１の表面５１ａと左側面５１ｂに当接して、がたつきがないように着脱可能に接続される。
【００２０】
分割側板４における分離板９の長手方向の長さは、分割端板接続部５３と固定板接続部５２との間の長さより多少短くなっており、分割側板４が分離板フレーム５に装着される際や取り外す際に、着脱しやすいようになっている。分割側板２及び３は、分割側板２及３における分離板９の長手方向の長さの合計が、分割端板接続部５３と固定板接続部５２との間の長さより多少短くなっており、分割側板２及び３が分離板フレーム５に装着される際や取り外す際に、着脱しやすいようになっている。なお、分割側板２及び３や分割側板４が分離板９の長さ方向において、分割端板接続部５３と固定板接続部５２との間で多少の余裕を持っているが、患者１２が天板１５に搭置し固定された際は、患者１２の体重によりがたつくことはない。
【００２１】
次に実施の形態１の放射線治療寝台２０を用いた照射を説明する。図６は、本発明の放射線治療寝台を用いた照射を説明する図である。放射線として陽子線や重粒子線などの荷電粒子線を用いる例で説明する。天板１５に固定された患者１２に粒子線治療装置６０により粒子線６２を照射する。粒子線治療装置６０の照射ノズル６１から粒子線６２を照射する方向は、患者１２の照射対象である患部の位置により、適切な方向が選択される。例えば、粒子線治療装置６０の照射ノズル６１は回転ガントリに設置され、患者１２の周り３６０度のいずれの方向からも照射することができる。図６では、３つの方向を図示している。粒子線６２Ａは患者１２の真上から照射される場合であり、粒子線６２Ｂは患者１２の斜め下方から照射される場合であり、粒子線６２Ｃは患者１２の真下から照射される場合である。粒子線６２Ａは、患者１２の真上に配置された粒子線治療装置６０Ａの照射ノズル６１Ａから照射される。同様に粒子線６２Ｂは患者１２の斜め下方に配置された粒子線治療装置６０Ｂの照射ノズル６１Ｂから照射され、粒子線６２Ｃは、患者１２の真下に配置された粒子線治療装置６０Ｃの照射ノズル６１Ｃから照射される。
【００２２】
実施の形態１の天板１５は、上述したように分離板フレーム５に、分割端板１を固定し、分割側板２、３、４を接続できるような構造となっている。患者１２の放射線照射位置が分割側板３の位置にあり、患者１２の斜め下方から放射線を照射する場合は、プレート３aを取外した後、患者１２の斜め下方から放射線を照射する。この際、分割側板フレーム３ｃにシート３ｂが貼付けられているので、プレート３aを取外した際に、患者１２の分割側板フレーム３ｃの中央部への沈み込みを抑えることができる。患者１２の放射線照射位置が分割側板２の位置にあり、患者１２の斜め下方から放射線を照射する場合も同様である。ここで、シート２ｂ、シート３ｂはポリエステルフィルム等の放射線吸収率が低い材質を用いる。放射線吸収率が低い材質を用いることで、放射線の飛程にほぼ影響を与えることがない。したがって、シート２ｂ、シート３ｂを放射線が通過しても、シート２ｂ、シート３ｂによる放射線の吸収は問題がなく、放射線治療を行うことがきる。なお、シート１ｂもポリエステルフィルム等の放射線吸収率が低い材質を用いる。
【００２３】
実施の形態１の天板１５は、分離板フレーム５の棒状アーム５１が天板１５の長手方向における中心線１３及びこの中心線１３を通り天板１５の垂直方向における中心線１４から左右方向にオフセットして配置している。棒状アーム５１が中心線１３から左右方向にオフセットして配置いることにより、従来のセンタースパイン天板では不可能であった、天板真下付近からの照射も可能となる。ただし、図３に示す通り、分離板フレーム５の剛性を確保する為には、棒状アーム５１は左又は右へ大きくオフセットさせることは困難である。天板の中心線１３に対して正確に真下から広い照射範囲を照射することは困難な場合がある。しかし、患者１２の放射線照射位置を天板長手方向の中心線１３から棒状アーム５１が粒子線６２の照射範囲に位置しないように患者１２を若干移動させて対応できる。具体的には、患者１２を若干移動させ、その移動によるアイソセンターからの位置ずれを放射線治療寝台２０が備えている駆動装置１１により、左右方向駆動を使用するなどの方法によって、調整することがきる。したがて、実施の形態１の天板１５は、従来のセンタースパイン方式の天板よりも、粒子線６２の照射方向をカバーできる範囲を広範囲にすることができる。
【００２４】
次に、患者１２の放射線照射位置が分割側板４の位置にあり、患者１２の斜め下方から放射線を照射する場合を考える。分離板フレーム５を図１の状態から、表裏逆に固定板６に設置し、分割端板１を表裏逆にし、分割側板２および３と分割側板４の配置を入れ替える。すなわち、分離板フレーム５の棒状アーム５１の位置は、図１において左右が逆になり、分割側板４は図１の分割側板２および３側に配置し、分割側板２および３は図１の分割側板４側に配置する。
【００２５】
実施の形態１の天板１５は、図２に示す通り、構造が単純であり、かつ、分割端板１、分割側板２〜４は簡単に分離板フレーム５から取外すことができる。分離板フレーム５、分割端板１、分割側板２、分割側板３、分割側板４はそれぞれ２０ｋｇ以下なので、分離板フレーム５の表裏の入れ替えは人手で問題なく実施できる。また、固定板６と分離板９との接続インターフェース、すなわち固定板６の結合溝１８に結合する分離板９の結合突部１９を備えた他の分離板にも付け替えることができる。また、分離板９を違う場所に設置された放射線治療寝台２０に、結合させて使用することができる。固定板６と分離板９との接続インターフェースを統一することで、複数の放射線治療寝台２０で分離板９を供用することができる。供用化することで、予備の部材を放射線治療寝台２０毎に保管する必要がなく、天板１５のメンテナンスも放射線治療寝台２０の使用を妨げることなく実施でき、融通性、利便性を高めることができる。
【００２６】
他の分離板の例としては、身長の低い人用に、天板長手方向の短い分離板や、分離板９のフレーム等をカーボンファイバー製にした分離板などがある。分離板９のフレーム等をカーボンファイバー製にすれば、さらに軽量にでき、カーボンファイバーはアルミニウムに比べて放射線の吸収量が少ないので、棒状アーム５１を通過するように放射線を患者１２に照射することができる。
【００２７】
なお、分割端板１及び分割側板２、３のシート１ｂ、２ｂ、３ｂは開口部２ｄ、３ｄをほとんど全て覆う場合で説明したが、シートが開口部の途中まで、すなわち接続部側の一部しか覆わないものを適用してもよい。この場合、粒子線治療装置６０の照射ノズル６１をシートの境界近くまで、患者１２に近づけることができる。また、分割端板１のシート１ｂの一部が開口を有る場合は、患者１２がうつ伏せになっても、患者１２が呼吸を楽にすることができる。したがって、放射線治療における患者１２の体位、照射ノズル６１の位置や線量のバリエーションを多様にすることができる。
【００２８】
また、表面５１ａに形成された係合溝７及び裏面５１ｄに形成された係合溝７は、分離板９に平行な平面に投影した際の位置がそれぞれ一致するように配置される例で説明したが、略一致する場合でもよい。分離板９を表裏変更した際に、分離板９の端から分割側板２、３、４が極端に突出したり、へこんだりしなければよい。
【００２９】
以上のように実施の形態１の放射線治療寝台用天板１５によれば、放射線治療寝台２０に設置された固定板６と、固定板６に着脱可能に結合された分離板９とを備え、分離板９は、固定板６に表裏変更可能に結合する固定板接続部５２と、固定板接続部５２から該分離板９の長手方向に延伸した棒状アーム５１とを有する分離板フレーム５と、分離板フレーム５に着脱可能に接続される分割側板２、３、４を複数有し、棒状アーム５１は、該分離板９の長手方向における中心線１３から該分離板９の短手方向に離れた位置に配置されたので、分離板フレームを表裏変更して棒状アームの位置を変更でき、サイドフレーム方式とセンタースパイン方式との間を相互に変更する可動部を無くした簡略な構造で、この可動部の位置ずれを抑制することができる。
【００３０】
以上のように実施の形態１の放射線治療寝台２０によれば、患者１２を搭置する放射線治療寝台用天板１５と、放射線治療寝台用天板１５の位置を移動させる駆動装置１１とを備え、放射線治療寝台用天板１５は、放射線治療寝台２０に設置された固定板６と、固定板６に着脱可能に結合された分離板９とを備え、分離板９は、固定板６に表裏変更可能に結合する固定板接続部５２と、固定板接続部５２から該分離板９の長手方向に延伸した棒状アーム５１とを有する分離板フレーム５と、分離板フレーム５に着脱可能に接続される分割側板２、３、４を複数有し、棒状アーム５１は、該分離板９の長手方向における中心線１３から該分離板９の短手方向に離れた位置に配置されたので、放射線治療寝台用天板がサイドフレーム方式とセンタースパイン方式との間を相互に変更する可動部を無くした簡略な構造で、この可動部の位置ずれを抑制することができ、放射線治療における放射線照射部のずれを抑制することができ、放射線治療を高精度に行うことができる。
【００３１】
実施の形態２．
図７は本発明の実施の形態２による放射線治療寝台を示す図であり、図８は実施の形態２による分割式天板の分割構造を示す図である。実施の形態２の放射線治療寝台５０は、実施の形態１とは、分離板１０を固定板８から完全に外さずに回転させて、分離板１０の表裏を入れ替えることができる点で異なる。放射線治療寝台５０は、患者１２を搭置し固定する分割式天板１６（以後、単に天板と呼ぶ。）と、天板１６をＸ軸方向、Ｙ軸方向、Ｚ軸方向の各軸方向に並進させ、Ｘ軸周りのθ方向、Ｙ軸周りのφ方向、Ｚ軸周りのξ方向の各方向に回転させる駆動装置１１とを有する。天板１６は、駆動装置１１に固定される固定板８と固定板８から分離可能な分離板１０を有する。
【００３２】
分離板１０は、実施の形態１の分離板９の分離板フレーム５を分離板フレーム３５に代えたものである。分離板フレーム３５は、分離板フレーム５の固定板接続部５２から固定板接続部５４に代えたものである。固定板８は分離板フレーム３５の固定板接続部５４に接続する係合柱２６を有する。係合柱２６は円柱状であり、その中心軸は天板１６を上から見た際の天板１６の長手方向における中心線１３上に位置する。係合柱２６の先端部には、分離板１０の表裏の位置を決める位置決突起２７が設けられる。位置決突起２７は、例えば、四角柱状の形状をしており、位置決突起２７の中心軸は、係合柱２６の中心軸と一致している。分離板１０の固定板接続部５４は、固定板８の係合柱２６に係合する係合穴２８を有し、係合穴２８の先端部に位置決突起２７と係合する位置決穴２９が設けられる。また、分離板１０の固定板接続部５４は、固定板８に固定する固定部５５が設けられ、この固定部５５にボルトやナットの固定部品を用いて固定板８に固定する。
【００３３】
分離板１０の表裏を入れ替える方法を説明する。分離板１０の固定板接続部５４から固定部品を外して、分離板１０を固定板８から回転可能にする。分離板フレーム３５から分割側板２〜４を外し、分離板フレーム３５を固定板８から係合柱２６の中心軸方向における離れる方向に、位置決突起２７と位置決穴２９の係合が外れるように移動させる。分離板フレーム３５を、その表裏を入れ替えるように回転させる。分離板フレーム３５を係合柱２６の中心軸方向における固定板８に近づく方向に、位置決突起２７と位置決穴２９とが係合するように移動させる。分離板１０の固定板接続部５４は、固定板８に固定する固定部５５が設けられ、この固定部５５にボルトやナットの固定部品を用いて固定板８に固定する。
【００３４】
分離板フレーム３５の表裏を変更した後は、実施の形態１で説明したように、分割端板１を表裏逆にし、分割側板２および３と分割側板４の配置を入れ替える。
【００３５】
実施の形態２の天板１６は、分離板１０を固定板８から完全に分離することなしに、分離板１０の表裏を変更することができる。分離板１０を固定板８から完全に分離しないので、実施の形態１よりも小さな力で容易に変更することができる。実施の形態２の放射線治療寝台５０は、天板１６の分離板１０を実施の形態１よりも小さな力で容易に変更することができる。したがって、分離板１０の表裏を実施の形態１よりも短時間で変更することができる。これにより、放射線治療寝台５０を患者１２毎の所定の状態にすることが、短時間にでき、放射線治療にかかるトータルの時間を短くすることができる。
【００３６】
なお、係合柱２６の中心軸は天板１６を上から見た際の天板１６の長手方向における中心線１３上に位置する例で説明したが、略一致する場合でもよい。分離板９を表裏変更した際に、分離板９の端から分割側板２、３、４が極端に突出したり、へこんだりしなければよい。
【００３７】
実施の形態３．
図９は、本発明の実施の形態３による分割側板のプレートを示す図である。図９（ａ）は、分割側板２（３）のプレート２ａ（３ａ）の内部もしくは表面に金属球２４を埋め込んだ例である。図９（ｂ）は、分割側板２（３）のプレート２ａ（３ａ）の内部もしくは表面に金属プレート２５を埋め込んだり、貼付けたりした例である。金属球２４や金属プレート２５は、Ｘ線を減衰させるＸ線減衰部を構成する。図９に示すように、分割側板２（３）のプレート２ａ（３ａ）に、金属球２４や金属プレート２５のＸ線減衰部を設けたので、患者１２を放射線治療寝台に固定した際に放射線照射位置のプレート２ａ（３ａ）を抜き忘れた場合でも、放射線治療において通常実施するＸ線画像撮影による照射位置確認の際に、Ｘ線画像に金属球２４や金属プレート２５が写るので、プレート２ａ（３ａ）の抜き忘れを確認することが可能となる。したがって、放射線治療の照射の際において、分割側板２（３）のプレート２ａ（３ａ）の抜き忘れを防止することができる。
【００３８】
実施の形態３による分割側板のプレートは、実施の形態１の放射線治療寝台２０及び実施の形態２の放射線治療寝台５０のいずれにも適用することができる。
【００３９】
なお、金属球２４や金属プレート２５以外にもプレート２ａ（３ａ）および人体とはＸ線吸収率が大きく異なる材質を用いて、プレート２ａ（３ａ）に埋め込みや貼付けを施すことで同様な効果が得られる。
【００４０】
なお、実施の形態１〜３では、分離板フレーム５（３５）に取り付ける分割板の分割構成は４つの場合で説明したが、分割構成は他の場合でもよく、分割数を少なくしたり、多くしたりしてもよい。
【００４１】
また、棒状アーム５１は、分離板９の表面及び裏面に平行な四角柱の例で説明したが、分離板９の表面及び裏面に平行ではない四角柱や、円柱、楕円柱など他の形状であっても構わない。表面５１ａに形成された係合溝７及び裏面５１ｄに形成された係合溝７は、分離板９に平行な平面に投影した際の位置がそれぞれ一致するように配置されることで、分離板９（１０）が表裏変更した際、すなわち棒状アーム５１の表裏変更した際にも、分割側板２〜４のそれぞれの接続部２３、３３、４３は、表面及び裏面にもぴったりと接続することができる。
【符号の説明】
【００４２】
２、３、４…分割側板、２ａ、３ａ…プレート、２ｂ、３ｂ…シート、２ｃ、３ｃ…分割側板フレーム、２ｄ、３ｄ…開口部、５、３５…分離板フレーム、６、８…固定板、７…係合溝、９、１０…分離板、１１…駆動装置、１２…患者、１３…中心線、１５、１６…天板、２０、５０…放射線治療寝台、２１、３１、４１…係合突部、２３、３３、４３…接続部、２４…金属球、２５…金属プレート、２６…係合柱、２８…係合穴、５１…棒状アーム、５１ａ…表面、５１ｄ…裏面、５２、５４…固定板接続部。
【図１】
0005546397.tif 000002
【図２】
0005546397.tif 000003
【図３】
0005546397.tif 000004
【図４】
0005546397.tif 000005
【図５】
0005546397.tif 000006
【図６】
0005546397.tif 000007
【図７】
0005546397.tif 000008
【図８】
0005546397.tif 000009
【図９】
0005546397.tif 000010